(57)【要約】【課題】複数の画像表示装置からなる表示システムで、画像表示装置の物理的な位置を容易に特定して識別情報を設定できる識別情報設定装置を提供する。【解決手段】識別情報設定装置２００は、撮像部２０１、取得部２０２、配列特定部２０３、及び識別情報割り当て部２０４を基本構成とする。撮像部２０１は、複数の画像表示装置が配置される表示システムの各画像表示装置の表示画面を含む領域を撮像する。取得部２０２は、撮像結果から、表示画面に表示された色又は輝度を表示する表示パターンを取得する。配列特定部２０３は、表示システムにおける取得された表示パターンの相対位置に基づいて、各画像表示装置の表示システムにおける位置を特定する。識別情報割り当て部２０４は、位置が特定された画像表示装置に識別情報を割り当てる。【選択図】図１１
2019124875.tif 000002
【特許請求の範囲】
【請求項１】
複数の画像表示装置が配置される表示システムの各画像表示装置の表示画面を含む領域を撮像する撮像部と、
撮像結果から、前記表示画面に表示された色又は輝度を表示する表示パターンを取得する取得部と、
前記表示システムにおける前記取得された表示パターンの相対位置に基づいて、各画像表示装置の表示システムにおける位置を特定する配列特定部と、
位置が特定された画像表示装置に識別情報を割り当てる識別情報割り当て部と
を有する識別情報設定装置。
【請求項２】
前記表示パターンは、表示画面毎に異なる請求項１記載の識別情報設定装置。
【請求項３】
前記割り当てされた識別情報を前記表示システムの少なくともいずれか１つの画像表示装置に送信する識別情報送信部を有する請求項１又は２に記載の識別情報設定装置。
【請求項４】
色又は輝度を表示する表示パターンであって、複数の画像表示装置が配置される表示システムを構成する他の画像表示装置とは異なる表示パターンを表示する表示部と、
自身が表示した表示パターンに対して割り当てられた識別情報を受信する受信部と
を有する画像表示装置。
【請求項５】
複数の画像表示装置が配置される表示システムの各画像表示装置に識別情報を設定する識別情報設定方法であって、
各画像表示装置が、配置される表示システムを構成する他の画像表示装置とは異なる表示パターンを表示する工程と、
識別情報設定装置が、複数の画像表示装置が配置される表示システムの各画像表示装置の表示画面を含む領域を撮像する工程と、撮像結果から、前記表示画面に表示された色又は輝度を表示する表示パターンを取得する工程と、前記表示システムにおける前記取得された表示パターンの相対位置に基づいて、各画像表示装置の表示システムにおける位置を特定する工程と、位置が特定された画像表示装置に識別情報を割り当てる工程と、
前記各画像表示装置が、自身が表示した表示パターンに対して割り当てられた識別情報を受信する工程と
を含む識別情報設定方法。
【発明の詳細な説明】
【技術分野】
【０００１】
本発明は、識別情報設定装置、画像表示装置、識別情報設定方法に関する。
【背景技術】
【０００２】
複数の画像表示装置が配設された表示システムでは、例えば特許文献１に示されるように、各画像表示装置を識別するためのＩＤ（識別情報）が割り振られる。ＩＤの設定方法としては、リモートコントローラ等によるマニュアル設定と、通信回線等を用いた自動設定方法がある。また、ＩＤを設定した場合、表示位置の指定やリモートコントローラによる各画像表示装置を個別制御するために、各ＩＤとそのＩＤに対応する画像表示装置の設置位置との物理的な対応が判別できる必要がある。
【先行技術文献】
【特許文献】
【０００３】
【特許文献１】特開２００９−１０９６７１号公報
【発明の概要】
【発明が解決しようとする課題】
【０００４】
ＩＤをマニュアルで設定する場合には、同一のＩＤが複数の画像表示装置に誤設定されるのを回避するために、一台ずつ画像表示装置の電源を投入しながら、ＩＤを個別に設定する必要があり、作業が煩雑で時間を要する。
【０００５】
ＩＤをネットワーク接続を用いて自動設定する方法としては、複数の画像表示装置をデイジーチェーンで接続していき、ケーブルなどの接続順序を基に、ＩＤを順に割り付ける方法が提案されている。しかしながら、ケーブルなどの接続順序を基にＩＤを決定する方法では、設置位置をあらかじめ規定しておくなどの必要があり、自由度が低い。また、この接続方法の場合には、ケーブルを直列に接続する必要がある。しかしながら、ケーブルを直列に接続した場合、１台の画像表示装置が故障すると、後段に接続された画像表示装置が正常に動作しない虞がある。
【０００６】
また、複数の画像表示装置をハブなどを通じて並列に接続し、ネットワーク上で認識された時間が早いものから順に、ＩＤを割り付ける方法が考えられる。ケーブルを並列に接続した場合、１台の画像表示装置が故障しても、他の画像表示装置への影響は少ない。しかしながら、ケーブルを並列に接続した場合、直列接続のように、ケーブルなどの接続順序を基に、ＩＤを順に割り付けることができないため、ＩＤとそのＩＤに対応する画像表示装置の設置位置との物理的な対応がとれないという課題が生じる。
【０００７】
画像表示装置の物理的な位置を特定するため、画像表示装置にバーコードやＩＤに対応する数字などを表示し、それを外部のカメラで認識して位置を認識する方法が提案されている。しかしながら、画像表示装置の台数が多い場合や、カメラの解像度が不十分である場合には、認識処理が難しくなるという課題がある。
【０００８】
また、ＮＦＣ（Near Field Communication）を用いたＩＤ設定方法も提案されているが、近距離の接触が必要であるため、画像表示装置を高所などの離れた場所に設置する場合には作業性に課題があり、また、画像表示装置の台数が多い場合には、設定に時間がかかる。
【０００９】
上述の課題を鑑み、本発明は、複数の画像表示装置からなる表示システムで、画像表示装置の物理的な位置を容易に特定して識別情報を設定できる識別情報設定装置、画像表示装置、識別情報設定方法を提供することを目的とする。
【課題を解決するための手段】
【００１０】
上述の課題を解決するために、本発明の一態様に係る識別情報設定装置は、複数の画像表示装置が配置される表示システムの各画像表示装置の表示画面を含む領域を撮像する撮像部と、撮像結果から、前記表示画面に表示された色又は輝度を表示する表示パターンを取得する取得部と、前記表示システムにおける前記取得された表示パターンの相対位置に基づいて、各画像表示装置の表示システムにおける位置を特定する配列特定部と、位置が特定された画像表示装置に識別情報を割り当てる識別情報割り当て部とを有する。
【００１１】
本発明の一態様に係る画像表示装置は、色又は輝度を表示する表示パターンであって、複数の画像表示装置が配置される表示システムを構成する他の画像表示装置とは異なる表示パターンを表示する表示部と、自身が表示した表示パターンに対して割り当てられた識別情報を受信する受信部とを有する。
【００１２】
本発明の一態様に係る識別情報設定方法は、複数の画像表示装置が配置される表示システムの各画像表示装置に識別情報を設定する識別情報設定方法であって、各画像表示装置が、配置される表示システムを構成する他の画像表示装置とは異なる表示パターンを表示する工程と、識別情報設定装置が、複数の画像表示装置が配置される表示システムの各画像表示装置の表示画面を含む領域を撮像する工程と、撮像結果から、前記表示画面に表示された色又は輝度を表示する表示パターンを取得する工程と、前記表示システムにおける前記取得された表示パターンの相対位置に基づいて、各画像表示装置の表示システムにおける位置を特定する工程と、位置が特定された画像表示装置に識別情報を割り当てる工程と、前記各画像表示装置が、自身が表示した表示パターンに対して割り当てられた識別情報を受信する工程とを含む。
【発明の効果】
【００１３】
本発明によれば、表示システムを構成する各画像表示装置に所定の色又は輝度の表示パターンを表示させ、この画像表示装置の全体像を撮影することで、各位置に対応する画像表示装置にＩＤを割り振ることができる。
【図面の簡単な説明】
【００１４】
【図１】本発明の第１の実施形態に係る表示システムの概要の説明図である。
【図２】本発明の第１の実施形態に係る表示システムにおける画像表示装置の構成を示すブロック図である。
【図３】本発明の第１の実施形態に係る表示システムにおける携帯端末の概略構成を示すブロック図である。
【図４】本発明の第１の実施形態に係る表示システムにおいてディスプレイＩＤを割り振るときの処理を示すフローチャートである。
【図５】本発明の第１の実施形態に係る表示システムにおいてディスプレイＩＤを割り振るときの処理の説明図である。
【図６】初期ＩＤと表示色との対応関係の一例の説明図である。
【図７】画像表示装置の撮影画像の一例の図である。
【図８】画像表示装置の位置と初期ＩＤとの対応関係の一例の説明図である。
【図９】ディスプレイＩＤと初期ＩＤとの対応テーブルの一例の説明図である。
【図１０】本発明の第２の実施形態に係る表示システムの概要の説明図である。
【図１１】本発明による識別情報設定装置の基本構成を示す概略ブロック図である。
【発明を実施するための形態】
【００１５】
以下、本発明の実施の形態について図面を参照しながら説明する。
＜第１の実施形態＞
図１は、本発明の第１の実施形態に係る表示システム１の概要の説明図である。図１に示すように、本発明の第１の実施形態に係る表示システム１は、複数の画像表示装置１０−１〜１０−６と、携帯端末２０と、通信装置３０とから構成される。
【００１６】
画像表示装置１０−１〜１０−６は、液晶モニター又はプロジェクタである。この例では、水平方向に３台、垂直方向に２台の合計６台の画像表示装置１０−１〜１０−６が配置されている。各画像表示装置１０−１〜１０−６は、並列に通信装置３０に接続されている。なお、画像表示装置１０−１〜１０−６の台数や配置は一例であり、これに限定されるものではない。
【００１７】
携帯端末２０は、画像表示装置１０−１〜１０−６を操作する端末である。携帯端末２０には、カメラ機能が備えられている。携帯端末２０としては、タブレット端末やスマートフォン等を用いることができる。
【００１８】
通信装置３０は、表示システム１を構成する画像表示装置１０−１〜１０−６と、携帯端末２０との間でネットワークを構成し、互いにデータ通信を可能とする。この例では、各画像表示装置１０−１〜１０−６は、例えばイーサネット（登録商標）により、通信装置３０に並列に接続されている。また、携帯端末２０と通信装置３０との間は、ＩＥＥＥ８０２．１１により、無線で接続されている。
【００１９】
図２は、本発明の第１の実施形態に係る表示システム１における画像表示装置１０−１〜１０−６の構成を示すブロック図である。この例では、画像表示装置１０−１〜１０−６として、液晶モニターが用いられている。
【００２０】
図２に示すように、画像表示装置１０−１〜１０−６は、映像入力部１１と、映像処理部１２と、液晶パネル１３と、バックライト１４と、ＯＳＤ表示部１５と、制御部１６と、操作入力部１７と、通信部１８とから構成されている。
【００２１】
映像入力部１１は、ＨＤＭＩ（High Definition Multimedia Interface）入力端子、ＶＧＡ（Video Graphics Array、ＨＤＭＩは登録商標）入力端子、ＲＧＢ入力端子、コンポジットビデオ入力端子等の映像入力端子を備えている。映像入力部１１は、制御部１６の制御の基に、入力映像信号を選択し、選択した映像信号を映像処理部１２に出力する。
【００２２】
映像処理部１２は、映像入力部１１からの映像信号に対して、制御部１６の制御の基に、輝度補正、色補正、解像度変換等、種々の映像処理を行う。映像処理部１２の出力は、加算部１９を介して、液晶パネル１３に供給される。
【００２３】
液晶パネル１３は、映像処理部１２からの映像信号に基づく画像を表示する。液晶パネル１３の背面には、バックライト１４が配設される。バックライト１４は、制御部１６の制御の基に、液晶パネル１３に対して透過光を照射する。
【００２４】
ＯＳＤ（On Screen Display）表示部１５は、制御部１６の制御の基に、設定画面等の映像画面を生成する。ＯＳＤ表示部１５からの映像信号は、加算部１９で映像処理部１２からの映像信号に重畳されて、液晶パネル１３に供給される。本実施形態では、ディスプレイＩＤを設定する際に、所定の色又は輝度の表示パターンが画像表示装置１０−１〜１０−６に映し出される。ＯＳＤ表示部１５は、このような所定の色又は輝度の表示パターンを生成し、液晶パネル１３に供給する。液晶パネル１３は、このような所定の色又は輝度の表示パターンを映し出す表示部となる。
【００２５】
制御部１６は、ＣＰＵ(Central Processing Unit)等からなり、プログラムに基づいて、画像表示装置１０−１〜１０−６の全体制御を行っている。制御部１６に対して、操作入力部１７及び通信部１８が設けられる。
【００２６】
操作入力部１７は、画像表示装置１０を操作するための各種のユーザ入力を受け付ける。操作入力部１７としては、操作ボタンや操作キーの他に、リモートコントローラが用いられる。
【００２７】
通信部１８は、他の機器とのデータ通信を行う。通信部１８としては、有線ＬＡＮ(Local Area Network)や、ＲＳ２３２Ｃ等が用いられる。有線ＬＡＮは、例えばイーサネット（登録商標）の規格に基づいてデータ通信を行う。本実施形態では、携帯端末２０でディスプレイＩＤが設定されると、このディスプレイＩＤが通信装置３０を介して各画像表示装置１０−１〜１０−６に送られてくる。通信部１８は、携帯端末２０から送られてきたディスプレイＩＤの受信部となる。
【００２８】
図３は、本発明の第１の実施形態に係る表示システム１における携帯端末２０の概略構成を示すブロック図である。携帯端末２０は、制御部２１と、記憶部２２と、通信部２３と、入力部２４と、表示部２５と、カメラ部２６とを備えている。本実施形態では、携帯端末２０は、各画像表示装置１０−１〜１０−６にディスプレイＩＤを設定する識別情報設定装置となる。
【００２９】
制御部２１は、ＣＰＵ(Central Processing Unit)等からなり、記憶部２２に記憶されているプログラムに基づいて、各種の制御を行う。記憶部２２には、各種のプログラムやデータが記憶されている。記憶部２２に記憶されているプログラムとしては、画像表示装置１０−１〜１０−６を操作する専用のアプリケーションプログラム２７が含まれている。本実施形態では、アプリケーションプログラム２７は、画像表示装置１０−１〜１０−６にディスプレイＩＤを設定する機能を含む。アプリケーションプログラム２７は、ディスプレイＩＤを設定する際に、カメラ部２６の撮像結果から、表示画面に表示された色又は輝度を表示する表示パターンを取得する取得部と、表示システム１における取得された表示パターンの相対位置に基づいて、各画像表示装置１０−１〜１０−６の表示システムにおける配列を特定する配列特定部と、位置が特定された画像表示装置１０−１〜１０−６にディスプレイＩＤを割り当てる識別情報割り当て部の機能を実現する。
【００３０】
通信部２３は、画像表示装置１０−１〜１０−６との間でデータ通信を行う。通信部２３としては、無線ＬＡＮ（IEEE802.11）により通信を行うものが用いられる。通信部２３としては、さらに、ＬＴＥ（Long Term Evolution）やＷＣＤＭＡ（Wideband Code Division Multiple Access、ＷＣＤＭＡは登録商標）等の移動体通信網により通信を行うものを備えていても良い。
【００３１】
入力部２４は、携帯端末２０を操作する利用者からの入力を受け付ける。入力部２４は、表示部２５上に配置されたタッチパネルである。表示部２５は、各種の情報を表示する。表示部２５としては、液晶パネルや有機ＥＬ(Electro-Luminescence)が用いられる。
【００３２】
カメラ部２６は、周囲の画像を撮影するカメラ機能を提供する。カメラ部２６としては、ＣＣＤ（Charge Coupled Device）撮像素子や、ＣＭＯＳ（Complementary Metal Oxide Semiconductor）撮像素子を用いたものが用いられる。本実施形態では、カメラ部２６は、画像表示装置１０−１〜１０−６にディスプレイＩＤを設定する際に、画像表示装置１０−１〜１０−６に映し出される表示パターンを撮像する撮像部となる。
【００３３】
図１に示すように、本発明の第１の実施形態に係る表示システム１では、通信装置３０によりネットワークが構築され、複数の画像表示装置１０−１〜１０−６の操作は、携帯端末２０により行うことができる。画像表示装置１０−１〜１０−６を通信装置３０に並列に接続するとき、各画像表示装置１０−１〜１０−６には、ネットワーク上で認識された順に、ＩＤ（以下、初期ＩＤと称する）が設定される。しかしながら、このとき割り当てられた初期ＩＤからは、画像表示装置１０−１〜１０−６の物理的な位置が特定できない。
【００３４】
そこで、本実施形態では、表示システム１を構成する各画像表示装置１０−１〜１０−６に所定の色又は輝度の表示パターンを表示させ、この画像表示装置１０−１〜１０−６の全体像を携帯端末２０のカメラ機能で撮影することで、各位置に対応するディスプレイＩＤを割り振るようにしている。このことについて、以下に説明する。
【００３５】
図４は、本発明の第１の実施形態に係る表示システム１においてディスプレイＩＤを割り振るときの処理を示すフローチャートである。また、図５は、本発明の第１の実施形態に係る表示システムにおいてディスプレイＩＤを割り振るときの処理の説明図である。
【００３６】
（ステップＳ１）通信装置３０は、各位置にある画像表示装置１０−１〜１０−６に、初期ＩＤを設定する。前述したように、画像表示装置１０−１〜１０−６を通信装置３０に並列に接続すると、例えばネットワーク上で認識された順に、各画像表示装置１０−１〜１０−６に初期ＩＤが設定される。ここでは、図５に示すように、画像表示装置１０−１〜１０−６に、初期ＩＤ（ＩＤ＝Ａ〜Ｆ）が設定されているものとする。
【００３７】
（ステップＳ２）携帯端末２０は、初期ＩＤに対応する色の表示パターンを設定し、各画像表示装置１０−１〜１０−６に表示させる。初期ＩＤに対応する色は、互いに異なる色であれば、どのように設定しても良い。また、初期ＩＤに対応する輝度の表示パターンを用いても良い。
【００３８】
図６は、初期ＩＤと表示色との対応関係の一例である。ここでは、図６に示すように、初期ＩＤに対応する色の表示パターンを設定するものとする。すなわち、（初期ＩＤ＝Ａ）の画像表示装置にＲＧＢ（０，０，１００）の色の表示パターンを表示させる。なお、ここで、ＲＧＢ（０，０，１００）は、例えばＲＧＢの各色を０〜１００％で表記したものである。（初期ＩＤ＝Ｂ）の画像表示装置にＲＧＢ（０，１００，０）の色の表示パターンを表示させる。（初期ＩＤ＝Ｃ）の画像表示装置にＲＧＢ（０，１００，１００）の色を表示させる。以下、図６に示すように、各初期ＩＤの画像表示装置に、各色の表示パターンを表示させる。なお、各画像表示装置１０−１〜１０−６に所定の色の表示パターンを表示させるには、ＯＳＤ表示部１５の機能を用いれば良い。これにより、図５に示したように、各画像表示装置１０−１〜１０−６には、初期ＩＤに対応する色の表示パターンの画面が表示される。
【００３９】
（ステップＳ３）携帯端末２０は、画像表示装置１０−１〜１０−６の全体の画像をカメラ部２６により撮影する。
【００４０】
（ステップＳ４）携帯端末２０は、各位置にある画像表示装置の撮影画像の表示パターンの色を判定し、この表示パターンの色から、各位置にある画像表示装置と初期ＩＤとの対応関係を特定する。
【００４１】
図７は、画像表示装置１０−１〜１０−６の撮影画像の一例であり、図８は、画像表示装置の位置と初期ＩＤとの対応関係の一例である。すなわち、携帯端末２０のカメラ部２６を使って、画像表示装置１０−１〜１０−６の全体の画像を撮影し、図７に示すような撮影画像が得られたとする。この撮影画像の左上の画像Ｇ１は、画像表示装置１０−１の撮影画像である。この左上の画像Ｇ１の表示パターンの色を判定した結果、ＲＧＢ（０，１００，０）の色であった場合、図６に示したテーブルから、画像表示装置１０−１の位置の初期ＩＤは（ＩＤ＝Ｂ）と特定できる。同様に、画像Ｇ２は画像表示装置１０−２の撮影画像であり、画像Ｇ２の表示パターンの色判定の結果、ＲＧＢ（０，０，１００）であれば、画像表示装置１０−２の位置の初期ＩＤは（ＩＤ＝Ａ）と特定できる。これにより、図８に示すように、各画像表示装置１０−１〜１０−６の位置と、初期ＩＤとの対応関係を示すテーブルが作成できる。
なお、画像表示装置１０−１〜１０−６が表示したそれぞれの色と、携帯端末２０のカメラ部２６で得られた撮像画像の色とは、液晶パネル１３、バックライト１４またはカメラ部２６などの部品の特性のばらつきなどにより、完全に一致しない場合がある。すなわち、例えば画像表示装置１０−１が表示した色がＲＧＢ（０，１００，０）であっても、撮影画像の画像Ｇ１は、ＲＧＢ（２，９９，３）等と求められる場合がある。従って、例えば、部品のばらつきの誤差を考慮し、所定の範囲内、例えばＲ，Ｇ，Ｂの値に対し±５以内であればＲＧＢ（０，１００，０）と同じ色である判定し、画像表示装置１０−１の位置の初期ＩＤは（ＩＤ＝Ｂ）と特定してもよい。また、例えば、予め特定色が決められている場合（図８の特定色に示される６色）、撮像画像の色と決められた特定色とを比較し、一番近い特定色として判定してもよい。
【００４２】
（ステップＳ５）各位置にある表示装置と初期ＩＤとの対応関係が特定できれば、各位置に対応してディスプレイＩＤを割り振ることができる。
【００４３】
図９は、ディスプレイＩＤと初期ＩＤとの対応テーブルの一例である。例えば、画像表示装置１０−１〜１０−６に、左から右、上から下の順に、ディスプレイＩＤを割り振りたいとする。この場合には、図８に示したテーブルを参照して、図９に示すような対応テーブルを作成する。携帯端末２０は、このような対応テーブルを参照して、各位置に対応する初期ＩＤの画像表示装置に、ディスプレイＩＤを送信する。すなわち、携帯端末２０は、ディスプレイＩＤ（ＩＤ＝１）を初期ＩＤ（ＩＤ＝Ｂ）の画像表示装置（画像表示装置１０−１）に向けて送信する。携帯端末２０は、ディスプレイＩＤ（ＩＤ＝２）を初期ＩＤ（ＩＤ＝Ａ）の画像表示装置（画像表示装置１０−２）に向けて送信する。以下、同様に、携帯端末２０は、図９に示す対応テーブルを参照して、ディスプレイＩＤを対応する初期ＩＤの画像表示装置に向けて送信する。各画像表示装置１０−１〜１０−６は、携帯端末２０から送られてきたディスプレイＩＤを受信して、自身のディスプレイＩＤとして設定する。これにより、画像表示装置１０−１〜１０−６に、左から右、上から下の順に、ディスプレイＩＤを割り振ることができる。
【００４４】
以上説明したように、本実施形態では、表示システム１を構成する各画像表示装置１０−１〜１０−６に所定の色又は輝度の表示パターンを表示させ、この画像表示装置１０−１〜１０−６の全体像を携帯端末２０のカメラ機能で撮影することで、各位置に対応するディスプレイＩＤを割り振ることができる。
【００４５】
また、本実施形態では、一般的な画像表示装置１０−１〜１０−６の機能に加えて、スマートフォン等の携帯端末２０があれば実現可能であり、安価にシステムを構築できる。また、ケーブルを並列接続する場合や無線ＬＡＮで接続する場合にも対応でき、自由度が高く、また、画像表示装置が設定者から離れた場所にあっても設定可能である。また、画像表示装置の並びとしては、ひし形に配置など、複雑な配置でも対応可能である。
【００４６】
また、本実施形態では、位置の特定に色や輝度等のパターンを用いるため、バーコードや数字に比べ認識の処理が軽く、また、高解像度のカメラも必要としない。画像表示装置１０−１〜１０−６に色や輝度等のパターンを表示することは、一般的な機能であるＯＳＤ機能を利用できるため、実現が容易である。これに対して、バーコード等を表示する場合には、バーコードなどを表示する新たな仕組みを持つ必要が生じてくる。
【００４７】
＜第２の実施形態＞
次に、本発明の第２の実施形態について説明する。図１０は、本発明の第２の実施形態に係る表示システム１０１の概要の説明図である。図１０に示すように、本発明の第２の実施形態に係る表示システム１０１は、複数の画像表示装置１１０−１〜１１０−６と、携帯端末１２０と、通信装置１３０とから構成される。
【００４８】
画像表示装置１１０−１〜１１０−６、携帯端末１２０、及び通信装置１３０は、第１の実施形態における画像表示装置１０−１〜１０−６、携帯端末２０、及び通信装置３０と同様に構成されている。前述した第１の実施形態では、画像表示装置１０−１〜１０−６は通信装置３０に並列に接続されている。これに対して、この第２の実施形態では、画像表示装置１１０−１〜１１０−６は、デイジーチェーンにより、通信装置３０に直列に接続されている。他の構成については、第１の実施形態と同様である。
【００４９】
本発明の第２の実施形態に係る表示システム１０１では、携帯端末１２０は、複数の画像表示装置１１０−１〜１１０−６の中の１台に、ＩＤを纏めて送ることができる。つまり、このような表示システム１０１では、複数の画像表示装置１１０−１〜１１０−６の中の１台をマスタとすると、マスタとなる画像表示装置は、後段となる他の画像表示装置に、ＩＤを割り振っていくことができる。したがって、表示システム１０１を構成する画像表示装置１１０−１〜１１０−６の中の何れかをマスタとなる画像表示装置として決め、マスタとなる画像表示装置に纏めてＩＤを送信することで、他の画像表示装置のＩＤを設定できる。
【００５０】
すなわち、携帯端末１２０は、第１の実施形態と同様に、各画像表示装置に異なる色のパターンを表示させ、カメラで画像表示装置１１０−１〜１１０−６の表示画面を撮影することで、マスタとなる画像表示装置の位置（例えば画像表示装置１１０−１）を特定する。そして、携帯端末１２０は、マスタとなる画像表示装置（例えば画像表示装置１１０−１）にＩＤを纏めて送信する。マスタとなる画像表示装置（例えば画像表示装置１１０−１）は、後段にある他の画像表示装置（画像表示装置１１０−２〜１１０−６）に、ＩＤを順に割り付ける。
【００５１】
また、このような表示システム１０１では、自動割り振り機能によって、ＩＤが割り振られる。本実施形態では、割り振られたＩＤを、新たに振り直しすることができる。
【００５２】
＜変形例＞
各画像表示装置１０−１〜１０−６及び１１０−１〜１１０−６に表示させる表示パターンは、色又は輝度の少なくとの何れか一方に従って表示される表示画面であり、表示画面の中の表示領域が一様に同じ色又は輝度となるように表示する表示画面であってもよい。また、表示パターンは、単色又は単輝度の表示パターンに限定されず、複数色又は複数輝度に分割表示したパターンを用いるようにしても良い。また、１つの表示領域における各分割領域どうしで異なる色又は輝度となるような組み合わせの表示画面としても良い。また、表示パターンは、同じ表示領域において、時間経過に応じて異なる色又は輝度となるようにした表示画面を表示する表示パターンであってもよい。これにより、色の組み合わせによって表示パターンの種類を増やすことができるため、マルチディスプレイを構成する表示装置の台数が多数になったとしても、表示パターンを各表示装置に割り当てることができ、より多くの表示装置を取り扱うことができる。
【００５３】
また、上述の実施形態では、画像表示装置１０−１〜１０−６及び１１０−１〜１１０−６と、携帯端末２０及び１２０との間の通信を、通信装置３０及び１３０を介して行っているが、画像表示装置１０−１〜１０−６及び１１０−１〜１１０−６と、携帯端末２０及び１２０との間の通信は、ＰＣ（Personal Computer）を経由して行うようにしても良い。
【００５４】
また、上述の実施形態において、初期ＩＤは、ＩＤの代わりとなる識別番号でも良い。例えば、初期ＩＤは、ＭＡＣ（Media Access Control address）アドレスやＩＰ（Internet Protocol）アドレスであっても良い。
【００５５】
また、上述の実施形態では、携帯端末２０、１２０からの表示指示により、画像表示装置１０−１〜１０−６及び１１０−１〜１１０−６に、互いに異なる色又は輝度の表示パターンを表示させているが、画像表示装置１０−１〜１０−６及び１１０−１〜１１０−６の操作により、互いに異なる色又は輝度の表示パターンを表示させても良い。
【００５６】
また、上述の実施形態では、ＯＳＤ機能により、互いに異なる色又は輝度の表示パターンを表示させているが、ＯＳＤの機能の代わりに、外部からのビデオ入力を使用しても良い。
【００５７】
また、本発明は、ＩＤを割り振る場合だけでなく、ＩＤが意図通り確実に割り当てられたことを検証する場合にも使用することができる。
【００５８】
また、本発明は、プロジェクタにも応用できる。時分割で投影表示しているＤＬＰプロジェクタなどの場合、投影表示されている画像を、所定の時間、撮影（録画）することにより、投影したカラーパターンを認識するようにしても良い。
【００５９】
＜基本構成＞
図１１は、本発明による識別情報設定装置２００の基本構成を示す概略ブロック図である。すなわち、本発明による識別情報設定装置２００は、撮像部２０１、取得部２０２、配列特定部２０３、及び識別情報割り当て部２０４を基本構成とする。撮像部２０１は、複数の画像表示装置が配置される表示システムの各画像表示装置の表示画面を含む領域を撮像する。取得部２０２は、撮像結果から、表示画面に表示された色又は輝度を表示する表示パターンを取得する。配列特定部２０３は、表示システムにおける取得された表示パターンの相対位置に基づいて、各画像表示装置の表示システムにおける位置を特定する。識別情報割り当て部２０４は、位置が特定された画像表示装置に識別情報を割り当てる。
【００６０】
上述した実施形態における表示システム１、１０１の全部又は一部をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良く、ＦＰＧＡ等のプログラマブルロジックデバイスを用いて実現されるものであっても良い。
【００６１】
以上、この発明の実施形態について図面を参照して詳述してきたが、具体的な構成はこの実施形態に限られるものではなく、この発明の要旨を逸脱しない範囲の設計等も含まれる。
【符号の説明】
【００６２】
１０：画像表示装置，２０：携帯端末，３０：通信装置，２６：カメラ部，２０１：撮像部，２０２：取得部，２０３：配列特定部，２０４：識別情報割り当て部
【図１】
2019124875.tif 000003
【図２】
2019124875.tif 000004
【図３】
2019124875.tif 000005
【図４】
2019124875.tif 000006
【図５】
2019124875.tif 000007
【図６】
2019124875.tif 000008
【図７】
2019124875.tif 000009
【図８】
2019124875.tif 000010
【図９】
2019124875.tif 000011
【図１０】
2019124875.tif 000012
【図１１】
2019124875.tif 000013